Podtech/llm-jp-corpus-v4-ja_patent huggingface dataset:
(57)【要約】【課題】本発明は草花栽培用容器にイルミネーション効果を持たせ、草花と一体となった電飾装置を提供するものである。【解決手段】草花栽培用容器の本体の外面にＬＥＤライトを取り付けることを特徴とする。【選択図】図１
2011198732.tif 000002
【特許請求の範囲】
【請求項１】
任意形状の草花栽培用の容器の外面にイルミネーションを取り付けたことを特徴とする草花栽培用容器。
【請求項２】
任意形状の草花栽培用の容器の外面にＬＥＤライトを取り付けたことを特徴とする草花栽培用容器
【発明の詳細な説明】
【技術分野】
【０００１】本発明は、草花栽培用容器（プランター）にイルミネーションを取り付けることに関するものである。
【背景技術】
【０００２】一般住宅のガーデニングにカラフルなイルミネーションで飾ることが多くなっている。【０００３】しかしながら、草花栽培用容器をイルミネーションで飾ることはなかった。
【発明の概要】
【発明が解決しようとする課題】
【０００４】そのために、草花栽培用容器は目立たない状態になっており、ガーデニングにおいて草花栽培用容器と植えられた草花とをもっと効果的に美観を高めたかった。
本発明は、この問題点を解決するためになされたものである。
【課題を解決するための手段】
【０００５】そこで、任意形状の草花栽培用容器の本体の外面にイルミネーションを取り付ける。イルミネーションはＬＥＤライトが最適である。
【発明の効果】
【０００６】草花栽培用容器にイルミネーション効果を持たせ、草花と一体となった美観を提供できる。
【図面の簡単な説明】
【０００７】
【図１】イルミネーションを取り付けた斜視図
【図２】接続図
【発明を実施するための最良の形態】
【０００８】以下、本発明の実施の形態について説明する。
イルミネーションとは、電球やＬＥＤ（発光ダイオード）ライト等による電飾体の意味で使用する。
現代では、ガーデニングにおいては、太陽エネルギーを利用したソーラー・パネル（太陽熱集熱板）を使用したＬＥＤライトを利用すると電気代が掛からなく経済的に良い。
ソーラー・パネルを日中明るい場所に設置しパネルに当たった日光を電気エネルギーに変換して本体に内蔵された充電式蓄電池に充電する。
夜になり暗くなるとＬＥＤライトが点灯する。
蓄電池につながったＬＥＤケーブルを草花栽培用容器の外面に巻きつけたり、垂らしたり、ベルト掛け具で付着させたりして草花栽培用容器の形状にあわせて取り付ける。
ＬＥＤライト、ＬＥＤケーブルは外観から見て美観をそこねない様に取り付ける。
【符号の説明】
【０００９】１  草花栽培用容器
２  ＬＥＤライト
３  ＬＥＤベルト
４  掛け具
５  ソーラーパネル
【図１】
2011198732.tif 000003
【図２】
2011198732.tif 000004
(57)【要約】【課題】少年野球の選手が自転車でグランドに行く際バットも含めて道具をコンパクトに纏めて背中に背負い両手が空いて自転車のハンドル操作に支障なく安全に向かえる見た目も良い野球用バック。【解決手段】タスキ掛け状のワンショルダーストラップとこれに取り付けるバックの間にバットの挿入できるトンネル状の空間を作りバットのグリップ側はショルダーストラップに固定しヘッド側はバック背面に備えた収納式のポケットで受ける様にしたのでヘッド側が体から離れ、体にバットが干渉しない。またバックとショルダーストラップの肩口は係留部品で接続され荷物が安定し背負い心地を損なわれない。【選択図】図１
2011156326.tif 000002
【特許請求の範囲】
【請求項１】
ワンショルダー野球バックを構成する体に保持する為のタスキがけベルトと収納物を入れるバックとの接合面はバットを挿入する為のトンネルが構成されていることを特徴とするワンショルダー野球バック。
【請求項２】
上記請求項のワンショルダー野球バックはバットをショルダーベルトとバックの間に挿入した際バットのグリップをショルダーベルトの肩口に係留し、ヘッド側をバック裏面に備えた収納袋に依って重量を保持することを特徴とするワンショルダー野球バック。
【請求項３】
上記請求項のワンショルダー野球バックはバットを挿入する為に開口したショルダーとバックの口元を係留部品に依って連結できバック内の重量をショルダーの最も荷重能力の高い位置に懸架することができることを特徴とするワンショルダー野球バック。
【請求項４】
請求項１〜３迄のワンショルダー野球バックは挟んだバットと荷物の横ぶれを防ぐ目的でバックに取り付けたテープを腰の回りに巻いて安定させることを特徴とするワンショルダー野球バック。
【発明の詳細な説明】
【技術分野】
【０００１】少年野球の参加選手がグランドに通う際に使用する野球の道具を入れるバックに関する。
【背景技術】
【０００２】スポーツバックの種類はその競技種目に依って多くの種類がある。
一般のスポーツ選手であれば機能性を重視した仕様のバックで問題無いがジュニアサッカー、リトルリーグなどの少年を対象としたスポーツバックはスポーツでの使用目的以外に選手の移動時に於ける安全性を重視しなければならない。
少年達の怪我の多くはグランド内だけでなく集合場所への往復で多く発生している。  この見地に立ってジュニアーサッカー用に開発されたリュックサック意願平４−２９８８８は発表後多くのナショナルブランドから評価を得て現在は定番化したバックと成っている。
同様に野球のリトルリーグを見ると道具としてのバットの取り扱い方法が最も問題になる。  自転車に依る移動を見るとバットを持って片手運転する、荷台からはみ出してくくりつける、複数のバットをケースに入れて別送する等の方法が採られている。
【発明の開示】
【発明が解決しようとする課題】
【０００３】自転車使用に依るリトルリーグの野球選手がバットも含めた道具をコンパクトにまとめて安全に自転車で運べる為のワンショルダー野球バックを提供する。
【課題を解決するための手段】
【０００４】ワンショルダーバックのショルダーとバックの間に空間を作りバットを他の道具と一緒にコンパクトに纏め一体化して背負える様にした。
【発明の効果】
【０００５】本発明はリトルリーグに参加する少年の野球バックである。
グランドに集合する場合多くは自転車に依る。
自転車に乗る際野球道具をコンパクトに纏めて背中に背負うので両手が空き安全である。  通常の両肩ショルダーのリュックサックよりもワンショルダーの方が体のねじれ運動に影響されにくい。特に自転車乗車時の様に前傾姿勢に成るとバックの重量が背中に掛かる為この効果は大きい。
歩行の際でもこの姿勢は安全である。
【発明を実施するための最良の形態】
【０００６】バット挿入口からバットのヘッドを挿入する。ヘッドの先端をバック背面に折り畳んで有るポケットを開いて入れる。挿入口にある面ファスナーでグリップを固定する。バックの表面に備えられたフックをショルダー側リングに係留して重量を肩口に預ける。片方の肩にショルダーベルトを掛けてバックルで留め背面から回した腰巻ベルトのバックルを接続してバックの揺れを抑える。
【産業上の利用可能性】
【０００７】本発明はステイック状の道具を使用するスポーツ例えばバトミントン、テニス、ゴルフ等の場面でも使用可能で有る。またスポーツ以外でも図面を携えて山岳地の建設現場に移動する等の両手を必要とする場面にも有効である。
【図面の簡単な説明】
【０００８】
【図１】ワンショルダー野球バックの正面図である。
【図２】ワンショルダー野球バックの背面図である。
【図３】ワンショルダー野球バックの側面図である。
【符号の説明】
【０００９】  １．ショルダーベルト
２．バック懸架用Ｏリング
３．バットグリップ止めテープ
４．バック係留用フック
５．バック本体
６．安定用腰ベルト
７．収納式ヘッドポケット
８．開口口ジッパー
９．スタビライザー
１０．腰ベルト接続部品
１１．ショルダーストラップ受けテープ
１２．収納式受けポケット
１３．ショルダーストラップバックル
１４．バット
１５．バット挿入トンネル
【図１】
2011156326.tif 000003
【図２】
2011156326.tif 000004
【図３】
2011156326.tif 000005
(57)【要約】【課題】  本発明は  単純な遊びのドミノたおしを教育、医療分野で利用できるものへ変化発展させたものである。【解決手段】  ドミノたおしの牌を置く位置を描いた絵図の上で絵図に従って牌を並べてゆくことで、手先の器用さと集中力の持続を育て上達させることができる。絵図に難易度を設け、各人のレベルを知ることができる。又、電子画面用のゲームに、絵図を用いたドミノたおしを使用することで、平面で無くともドミノたおしを遊ぶことができる。【選択図】図２
2011156325.tif 000002
【特許請求の範囲】
【請求項１】
ドミノたおしの牌を置く位置、方向を描いた絵図
【請求項２】
ドミノたおしをパソコン、ゲーム機等の電子画面で行う為のソフトに、牌を置く位置、方向を描いた絵図を使用すること。
【発明の詳細な説明】
【技術分野】
【０００１】  この発明はドミノたおしという遊びに再現性を持たせ教育、医療分野に使える技術に関するものである。
【背景技術】
【０００２】  ドミノたおしという遊びは個人が好き勝手に並べ倒すその場限りの遊び、又はイベントとして何千枚もの牌を並べ倒す遊びであった。
【発明の概要】
【発明が解決しようとする課題】
【０００３】  ドミノたおしは、たくさんの牌をきれいに立てて並べるため指先の器用さと集中力の持続を必要とする遊びである。ドミノたおしは単純作業ながら、たくさんの牌を並べきった達成感と牌が連続して倒れてゆく緊張感を味わう事のできる素晴らしい遊びであるが、あくまで１回限りの達成感であり感動である。この素晴らしい遊びを科学的にとらえ教育、医療のリハビリ分野に使える楽しいゲームとすることにある。
【課題を解決するための手段】
【０００４】  従来のドミノたおしは、図１のごとく、牌を並べ、倒す単発的な遊びであるが、図２は、牌を置く位置を斜線で示した絵図である。この絵図の上で牌を立てて、並べ、たおす遊びへと発展させた。絵図の示す位置へ並べるため、何回でも同じ条件で繰り返し遊ぶことができる。さらに、この絵図は、幼児、子供、大人、リハビリ、ゲーム等と使う目的ごとに作られ難易度を選択することができる。図２より図３へ図３より図４へレベルをかえるごとくである。
【発明の効果】
【０００５】  絵図に従って並べるので遊びに入りやすい。途中、失敗しても同じ条件下で再び並べなおすことができる。より難しい絵図を成功させることで達成感、感動を得ることができる。  最も重要なことは各人のレベルを成績として数値化出来ることである。
【図面の簡単な説明】
【０００６】
【図１】  通常のドミノたおしの並べ方
【図２】  ［図１］に相当するドミノ倒しの絵図
【図３】  ヤヤ難しい絵図
【図４】  牌数の多い絵図
【発明を実施するための形態】
【０００７】  従来のドミノたおしは、木製又はプラスチック製の牌をテーブル、床等の平らな所で立て、並べ、倒すという極めて単純なあそびである。本発明は、牌を立て、並べ、倒すという作業を図２のごとく絵図の上で絵図に従って行うことにある。絵図はＡ４サイズからＡ２サイズ位が実用的であり、目的別に難易度を変えた数種類が１セットとなる。例えば図２、図３、図４を１セットとするなどである。牌は外形寸法、重量感、肌触り、接触音等をかんがみヤヤ大きめの木製が理想的である。
更に、絵図を用いたドミノたおしをパソコン、ＴＶ、ゲーム機等の電子画面で展開すれば、指先の器用さ、集中力の持続等の特徴を併せ持つソフトにより、寝たきりの人等も遊ぶことができ応用範囲は更に広がる。
【符号の説明】
【０００８】  １，ドミノ牌
２、斜線部が牌を置く位置
３、Ｓはスタート
４、Ｇはゴール
【図１】
2011156325.tif 000003
【図２】
2011156325.tif 000004
【図３】
2011156325.tif 000005
【図４】
2011156325.tif 000006
(57)【要約】【課題】  従来の髪をカールする方法はきちんとした髪のカールはできるが、費用や時間がかかるので、気軽に実施できず、経済的ではない。今まで簡易的に、時間をかけず、気軽にちょっとしたカールを髪にかける方法が確立されていない。【解決手段】  指カールキャップはネット状または伸縮性のある布材で頭部の形状に製作され、指でカールするための指孔を布材を切り込んでキャップ全体に設けてある。キャップが髪を押さえるため、指でカールした髪は時間の経過に伴い、その髪質なりにカールする。しかも、比較的短い髪でも指に絡みつく長さの髪ならカールが可能である。カールした箇所に整髪料を使用すればカールを維持することができる。また、ネット状のキャップは通気性があり蒸れにくく、ドライヤーの併用でより早く髪をカールすることが可能である。【選択図】図１
2011156327.tif 000002
【特許請求の範囲】
【請求項１】
通気性を考慮したネット状の布材で頭部の形状に製作され、布材を切り込んで指孔を全体に設けてあるキャップ。
【請求項２】
伸縮性のある布材で頭部の形状に製作され、布材を切り込んで指孔を全体に設けてあるキャップ。
【発明の詳細な説明】
【技術分野】
【０００１】  本発明は、指で髪を簡易的にカールすることができる指カールキャップに関する。
【背景技術】
【０００２】  従来の髪をカールする方法はカールカラーを髪に巻きつけたり、アイロンで髪に熱を加えたりする方法はあるが、指で髪を簡易的にカールする方法は確立されていない。【０００３】  従来の髪をカールする方法では、時間や手間がかかり経済的ではない。
【先行技術文献】
【特許文献】
【特許文献１】  特開平９−７０３１２  パーマネント・ウェーブ処理方法及びパーマネント・ウェーブ処理装置
【発明の概要】
【発明が解決しようとする課題】
【０００４】  従来の髪をカールする方法はきちんとした髪のカールはできるが、費用や時間がかかり、経済的ではない。【０００５】  本発明は、きちんとした髪のカールではないが、簡易的に、時間をかけず、経済的に、気軽にちょっとしたカールを髪にかけることを目的とするものである。【０００６】  朝、髪の寝癖を整髪するのに時間がかかり面倒な時があります。なんとか短時間で整髪したいものです。【０００７】  そんな時、髪にカールがかかっていれば、多少の髪の寝癖は気にならないし、かえって整髪し易いです。【０００８】  また、気分的にちょっと髪にカールをかけたい、多少短い髪でもちょっとカールさせておしゃれしたい時があります。【０００９】  そんな時、本発明の指カールキャップがあれば、手軽に自由にその人の髪質なりのカールを髪にかけることが可能です。【００１０】  比較的短い髪でも指に絡みつく長さの髪であればカールをかけることが可能です。【００１１】  いつでもどこでも簡単に簡易的に髪の指カールのおしゃれができます。
【課題を解決するための手段】
【００１２】  本発明は上記目的を達成するために考案された指で髪を簡易的にカールさせることができるキャップである。【００１３】  指カールキャップはネット状または伸縮性のある布材で頭部の形状に製作します。【００１４】  キャップには指で髪をカールするための指孔を布材を切り込みキャップ全体に設けます。【００１５】  布材を切り込んだ箇所は解れないよう縫製処理をします。【００１６】  髪をカールする時はキャップをかぶり、カールさせたい箇所の指孔に指を入れ、髪を指に絡みつけ指カールをします。【００１７】  キャップが髪を押さえるため、指でカールした髪は時間と共にその髪質なりにカール状に癖がついてきます。【００１８】  ネット状のキャップを使用すれば、通気性が良く長時間の使用でも蒸れにくいです。【００１９】  ネット状のキャップを使用した場合、ドライヤーを併用すればより髪のカールに効果があります。【００２０】  指カールキャップは布材なので、自由に変形できて、しかもコンパクトであり携帯に便利です。いつでもどこでもワイルドに髪に指カールを掛けることができます。比較的短い髪でも指に絡みつく長さの髪ならカールが可能です。【００２１】  また、カールした髪を整髪し、整髪料で固めれば髪をよりカール状に維持できます。【００２２】  他に、先に整髪料を髪につけ、その後に指カールキャップをかぶり髪にカールをかければ、比較的しっかり髪にカールをかけることが可能です。
【発明の効果】
【００２３】  上述したように本発明の指カールキャップは、簡単に、いつでも、安価に、比較的短い髪でも簡易的に髪にカールをかけることができます。
【図面の簡単な説明】
【００２４】
【図１】  指カールキャップを示した側面図
【図２】  指カールキャップを示した平面図
【発明を実施するための形態】
【００２５】  以下、本発明の実施の形態を図１〜図２に基づいて説明する。
【００２６】  図１において１はキャップでネット状または伸縮性のある布材で頭部の形状にできている。
【００２７】  図１において２は指孔でキャップ全体に５ｃｍ程度の間隔を設けて、布材を切り込んで開けている。この切り込んだ指孔に指を入れて髪をカールする。
図２において１はキャップでネット状または伸縮性のある布材で頭部の形状にできている。
【００２８】  図２において２は指孔でキャップ全体に５ｃｍ程度の間隔を設けて、布材を切り込んで開けている。この切り込んだ指孔に指を入れて髪をカールする。
【産業上の利用可能性】
【００２９】  簡易的に髪にカールをかけれるので、おしゃれ意識が高くなり、ファッション業界の活性化に貢献できる。
【符号の説明】
【００３０】    Ｉ  ：  キャップ（ネット状または伸縮性のある布材を使用します）
ＩＩ  ：  指孔（キャップ全体に布材を切り込んで設けます）
【図１】
2011156327.tif 000003
【図２】
2011156327.tif 000004
(57)【要約】【課題】安全な仮想球を生成する噴水装置を提供しつつ、あわせて実物球の打撃に即時移行できる打撃練習装置の実現。【解決手段】噴水の頂上水玉の活用に当たって、噴水の動態に関心を奪われるのを排除する必要があり、水柱部分を筒状の側壁で緩やかに包むことで認識を断絶させた。水玉部分は光を反射する特性があるので独立した存在であるかのごとく扱われる。また打撃を受けても液体なので質量反応は十分あるにもかかわらず、固体の破砕は伴わないのできわめて安全である。次に実物球への移行に際しては、側壁ケースの上端に１打ごとに実物球を設置するのであるが、噴水流の退避路に用いるべく噴口とケース下端の連絡部位は空隙構造とした。これによって噴水自体は停止の必要はない。  次に一体に構築すれば、床面に対し着脱自在とすることが出来、床面の状態を指定する必要はなくこれによって多様な床面との組み合わせを得る。【選択図】図１
2011156324.tif 000002
【特許請求の範囲】
【請求項１】
噴水の水柱を、弾性素材の側壁１で緩やかに包む構造の水玉生成装置であって、
噴口３と側壁の支持部２の中間は通水空隙を設けている。
【請求項２】
この構成をもって打撃練習機としたもの。
【請求項３】
この構成を一体に構築し、床面に対し着脱自在にしたもの。
【発明の詳細な説明】
【発明の詳細な説明】
【技術分野】
【０００１】  本発明は噴水を原理として安全な仮想球を生成し、あわせて実物球への間断なき置き換えを実現する水玉生成装置に関するものである。
【背景技術】
【０００２】  打撃訓練用の補助装置は仮想球、実物球ともに旧来より多種多様に提供されてきたが、実際物を繰り返し打撃することにおいて破砕を免れない危険を秘めていた。また実際物でない仮想球装置も近年登場しているが、複雑な構造で規模も大型で普及に適するとは言いがたい。【０００３】  他方「噴水」は公知の技術といってよく、さまざまな分野で広く応用されてきているが、打撃標的には用いられないまま今日まで来た。ところでもしこれを打撃シュミレーションの標的とするならば、少なくても従来の打撃訓練装置より危険度は低いはずである。そこでこの噴水水玉を仮想球に活用することを考えたのである。
【先行技術文献】
【０００４】
【特許文献１】  特許公開２０００７−３７９４６
【特許文献２】  特許公開２００１−２３８９９０
【特許文献３】  実用新案公開  平６−４８７３９
【発明の概要】
【発明が解決しようとする課題】
【０００５】  本発明は液体を仮想球として標的に用いる安全性に優れた装置として、加えて実物球への置き換え交換を間断なく円滑に行なえる一体装置に関するものである。
【課題を解決する手段】
【０００６】  噴水の水柱部分を弾性素材の側壁で緩やかに包む構造の水玉生成装置であって、側壁の支持部と噴口の中間には通水空隙が設けてある。
【発明を実施するための形態】
【実施例】
【０００７】  図３はゴルフの素振り訓練に用いるために本発明を実施した例である。その構造は床下に噴口３を距離を離して設置、ゴム素材の筒１が支持部２によって床上に設置され、固定はされていない。人工芝８に筒の外径相当の穴を設けてこれを嵌めこんだ後、人工芝の縁を床に固定する。圧力調整可能な加圧水流７から水柱６および水玉４が生成されるように、噴口の位置に筒をあわせ床面５にも通過穴を設ける。水玉の大きさは圧力に比例する。
【発明の効果】
【０００８】  側壁を設けることによって、練習者は噴水の動静への関心を絶たれ、標的意識が明確になる。打撃の際には標的は破砕されるが、飛行現象に繋がらないので弾道に関心を奪われることを免れる。反面質量反応は十分感得できるので打撃点への注視が誘導され正確な反復訓練に寄与する。
【０００９】  ゴム素材であれば打撃の繰り返しによく耐え、床面に非固定なので誤って打撃しても破砕応力も免れる。水玉は一撃ごとに破砕されるが、液体なので危険はないうえに即時復元されるので、効率的訓練に向く。
【００１０】  そのままゴルフ球を載せて実物打撃に切り替えることも出来、ボールが飛び去れば間断なく仮想球が復元している。したがって練習者が多種のスイングイメージを実際に体得する訓練に絶好である。
【図面の簡単な説明】
【図１】  斜視図
【図２】  断面図
【図３】  斜視図
【符号の説明】１  側壁
２  支持部
３  噴口
４  水玉
５  床面
６  水柱
７  有圧水流
８  人工芝
【図１】
2011156324.tif 000003
【図２】
2011156324.tif 000004
【図３】
2011156324.tif 000005
【手続補正書】
【提出日】平成22年7月20日(2010.7.20)
【手続補正１】
【補正対象書類名】特許請求の範囲
【補正対象項目名】全文
【補正方法】変更
【補正の内容】
【特許請求の範囲】
【請求項１】
ゴルフティーの中空の芯を通過する噴水がゴルフティーの頂上に水球を生成する構造
【請求項２】
ゴルフティーを、球面軸受けにて支持する円筒の内壁に沿って摺動可能に軸方向を一致させて組み込む構造
【手続補正書】
【提出日】平成22年7月26日(2010.7.26)
【手続補正１】
【補正対象書類名】特許請求の範囲
【補正対象項目名】請求項３
【補正方法】追加
【補正の内容】
【請求項３】
中空の芯が貫通するゴム製ゴルフティー
【手続補正書】
【提出日】平成22年9月13日(2010.9.13)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
ゴルフティーの中空の芯を通過する噴水がゴルフティーの頂上に水球を生成する構造
【請求項２】
複数の貫通孔を台座に配置してなる請求項１のゴム製ゴルフティー
【請求項３】
多角形の台座である請求項１のゴム製ゴルフティー
(57)【要約】      （修正有）【課題】ダマを防ぎ、きめ細かい滑らかな生地作りや泡立てが可能な調理用泡立て器を提供する。【解決手段】泡立て部２が格子形状や多角形状、円形状、楕円形状の穴の集合体からなることにより、粉ふるい、泡立て、攪拌、濾し、潰しの工程を一本のみで行うことを可能にする調理用泡立て器。細かい酸素を送り込むことで素早く泡立てることができ、攪拌と同時に簡単にきめ細かい滑らかな生地作りが可能なため、ダマができる心配がないうえ、交差部分がないため、生地や食材の引っかかりを防ぐことができる。【選択図】図１
2011156334.tif 000002
【特許請求の範囲】
【請求項１】
柄と泡立て部からなる調理器具であって泡立て部が格子形状からなり、少なくとも一部にＵ字や多角形、円形や楕円形の開口部が設けられていることを特徴とする、調理用泡立て器。
【請求項２】
泡立て部が多角形状の穴の集合体からなることを特徴とする、請求項１に記載の調理用泡立て器。
【請求項３】
泡立て部が円形状の穴の集合体からなることを特徴とする、請求項１又は請求項２に記載の調理用泡立て器。
【請求項４】
泡立て部が楕円形状の穴の集合体からなることを特徴とする、請求項１又は請求項２又は請求項３に記載の調理用泡立て器。
【発明の詳細な説明】
【技術分野】
【０００１】  本発明は調理器具、特に泡立て器に関するものである。
【背景技術】
【０００２】  従来の泡立て器は、主にＵ字に曲がった形状のステンレス線や金属線を数本組み合わせて泡立て部先端を交差させ、一本の柄の部分に固定したものから形成されている。この形状の問題点として線の間隔が大きいために、食材の混合や泡立ての際にダマができてしまったり、泡立て部先端の交差部分に生地や食材が引っかかるなどしている。
【発明の概要】
【発明が解決しようとする課題】
【０００３】  従来の技術で述べたものは、ダマになるのを防ぐために粉をふるいにかけたり、ダマになってしまった場合にはスプーンやゴムベラを使用して潰したり、濾したりしなければならなかった。またダマ防止や、早い泡立て、きめ細かい滑らかな生地を作るために手動では時間や労力を要するため、電動の泡立て器を用いるなどしなければならなかった。【０００４】  本発明は、このような現状を改善するために、粉ふるい、泡立て、攪拌、濾し、潰しの工程を一本で行える調理器具を開発することを課題とした。
【課題を解決するための手段】
【０００５】  本発明は、上記の課題を解決するために、泡立て部が格子形状からなり使用後の洗浄がしやすいように、少なくとも一部にＵ字や多角形、円形や楕円形の開口部が設けられていることを特徴とする、調理用泡立て器に関する。【０００６】  本発明は、前記泡立て部の形状として多角形状の穴の集合体であってもよい。前記泡立て部はまた円形状の穴の集合体であってもよい。前記泡立て部はまた楕円形状の穴の集合体であってもよい。
【発明の効果】
【０００７】  本発明は以上に述べたように形成されているので、細かい酸素を送り込むことで素早く泡立てることができ、攪拌と同時に簡単にきめ細かい滑らかな生地作りが可能なため、ダマができる心配がないうえ、交差部分がないため、生地や食材の引っかかりを防ぐことができる。さらに濾しや潰しの機能も有しているため、粉砕が必要な料理や介護食、離乳食作りにも最適である。また従来のように数種類の器具がいらず、これ一本のみで粉ふるい、泡立て、攪拌、濾し、潰しが可能なのでこれらの器具の保管場所も不要であり、準備や片付けの時間も省くことができる。
【図面の簡単な説明】
【０００８】
【図１】  本発明による第１実施形態の調理用泡立て器を示す正面図である。
【図２】  図１の調理用泡立て器の側面図である。
【図３】  本発明による第２実施形態の調理用泡立て器を示す正面図である。
【図４】  図３の調理用泡立て器の側面図である。
【発明を実施するための形態】
【０００９】  以下、本発明の実施の形態を図１に基づいて説明する。
【００１０】  図においては、１の柄を把持部とし、２の泡立て部を粉や生地などにあて攪拌して使用するものである。
【００１１】
【符号の説明】
【００１２】１    柄
２    泡立て部
３    格子形状穴あき部
４    開口部
１ａ  柄
２ａ  泡立て部
３ａ  円形状穴あき部
４ａ  開口部
【図１】
2011156334.tif 000003
【図２】
2011156334.tif 000004
【図３】
2011156334.tif 000005
【図４】
2011156334.tif 000006
(57)【要約】【課題】従来のやけどの応急処置法では、長時間拘束されることになり、幼い子供や老人には負担が大きい。【解決手段】従来ある熱さまシートに化膿どめと鎮静剤を混合して塗布したシートを作る。これを直ちに患部に貼りつけることにより、８時間位で完治する。サイズは患部にあわせて数種類作り、大きさはハサミで自由に切れるようにする。これを常備薬として、１家に１セット常備しておく。例えば老人が湯タンポでやけどをしたというような場合  シートをその部位に貼り付けることにより、流水などをかけるために起き上る必要もない。【特許請求の範囲】
【請求項１】
従来の熱さまシートにワセリンや軟骨、アスピリンや鎮静剤を混合して塗布した第１度ならびに第２度のやけどの応急処置用シート。
【請求項２】
患部によって違う大きさのシートで  ３０ｍｍ×６０ｍｍ、１００ｍｍ×２５０ｍｍ  １５０ｍｍ×４００ｍｍの３種類のサイズのシートとし、大きさはハサミで自由に切れるようにしたことを特徴とした請求項１記載の第１度ならびに第２度のやけどの応急処置用シート。
【発明の詳細な説明】
【技術分野】
【０００１】本発明は第１度ならびに第２度のやけどの応急処置シートに関する。
【背景技術】
【０００２】従来の第１度ならびに第２度のやけどの応急処置法としては、水または氷水などで１５分〜４０分  患部をひたすら冷やすとされている。
以下やけどと略す。
【先行技術文献】
【０００３】
【非特許文献】
【非特許文献】家庭の医学（発行日  昭和１８年１１月１５日）Ｐ７６  保健同人
【発明の概要】
【発明が解決しようとする課題】
【０００４】従来の処置法では長時間拘束され  その間  何も出来ないため小さい子供や老人には負担が大きい。【０００５】本発明は、このような不便を解消し、確実にやけどの部位を冷やし、完治しようとするものである。
【課題を解決するための手段】
【０００６】本発明は、上記目的を達成するために従来ある熱さまシートに化膿をおさえるワセリンや軟骨をまた痛みをやわらげるアスピリンや鎮静剤を混合して塗布したシートを作る。
これをやけどの部位にただちに貼り８時間位そのままにしておく。
その間の行動は自由である。情況により３時間位で貼りかえる。
そのシートのサイズは  ３０ｍｍ×６０ｍｍ  １００ｍｍ×２５０ｍｍ  １５０ｍｍ×４００ｍｍの３種類とする。また大きさはハサミで自由に切れるようにする。
【発明の効果】
【０００７】本人がてんぷらを揚げている際、額ならびに右手に油による第２度程度のやけどをおった。
直ちに流水をかけていたが１〜２分経て熱さまシート大人用２枚入りの試供品をもらっていたことに気づいた。今までに使用したことはなかったが８時間位ずっと冷やし続けるという知識はあった。
よって  やけどの応急処置にも適用するのではないかと思い１枚を額に１枚を右手に貼りつけた。これによりとび散った油の後始末などの家事をそのまま続けることが出来た。
また、３時間位  やけど特有のヒリヒリする痛みは続いたが、その後、徐徐に痛みがおさまり、８時間位後には殆んど痛みがとれた。
患部の皮膚も全くもとどおりであった。
ただ  右手のやけどで２ｃｍ位シートがとどかない部分があり、この部分のみが赤くなり水疱ができた。よってシートの効果は歴然としている。
【発明を実施するための形態】
【０００８】従来の熱さまシートを使いこのシートに化膿をおさえるワセリンや軟骨をまた痛みをやわらげるアスピリンや鎮静剤を混合して塗布したシートを作る。
サイズは  ３０ｍｍ×６０ｍｍ  １００ｍｍ×２５０ｍｍ  １５０ｍｍ×４００ｍｍの３種類とし、大きさは患部にあわせて自由にハサミで切れるようにする。
(57)【要約】【課題】  洗濯物のボタン回りのアイロン、プレスを簡単に短時間で出来るように，アイロンの先端をＶ型にカットして、更に、Ｖ型の奥を丸くカットしたアイロンを提供する。【解決手段】  アイロンの先端をＶ型にカットし、更にＶ型の奥を丸くカットしてあるので、ボタンに向けてアイロンを軽く押すだけで奥の丸い所にボタンが押込まれる。そして、ボタン回りのアイロン、プレスを確実に、短時間で出来るようにしたもの。またこの時、一緒にボタンの取り付け状態も確認出来るアイロンを特徴とする。【選択図】図１
2011156333.tif 000002
【特許請求の範囲】
【請求項１】
アイロンの先端をＶ型に，更に、Ｖ型の奥を丸くそれぞれカットしたアイロン。
【発明の詳細な説明】
【技術分野】
【０００１】  本発明は、アイロンの先端をＶ型に開いて，更に、Ｖ型の奥を丸くカットした形のアイロンである。
【背景技術】
【０００２】  従来のアイロンは、片方の先端が尖っている、又、最新のアイロンの形でも前後が同じように，鋭角に尖った形の物だけである。
【発明の概要】
【発明が解決しようとする課題】
【０００３】  従来のアイロンには次の様な問題点があった。
（イ）ボタンが付いてる洗濯物のアイロン、プレスではアイロンの先端が尖っているため，ボタンの取り付け部分は、最低でも上下左右４回の工程を必要とした。
（ロ）ボタンの取り付け状態も１個１個、落ちそうになっていないか手で確認する必要があった。
本発明は上記のような問題点等を解決するものである。
【課題を解決するための手段】
【０００４】  本発明は、図１の様にアイロンの先端をＶ型に、更にＶ型の奥を丸くカットした物である。洗濯物のボタン回りをアイロン、プレスする時は図２のようにボタンをＶ型の奥の丸い所に挟込む，そして、上下に動かすだけでプレスができるのである。又、動かしている時にボタンの取付け状態も確認出来るものである。
以上を特徴とする、先端をＶ型にカットし、更にＶ型の奥を丸くカットしたアイロンである。
【発明の効果】
【０００５】  本発明を図１で説明する、。図１のアイロンは先端がＶ型に開いて奥の方が丸くなっているので、アイロンを軽く押すだけで丸い所にボタンを挟み込む事が出来る。又、挟み込んだ状態で上下に動かすだけでプレスも出来る、そして、動かしている状態でボタンの取り付け糸が一部切れてボタンが取れそうになっていないかも同時に点検出来るのである。【０００６】  上述したように、従来、ボタン回りのプレスは上下左右の４工程を必要としたが本発明のアイロンでは１工程ですむ、したがって重いアイロンを動かす時間の短縮や体力の省力化、及び、ボタンの取り付け状態も一緒に確認出来るのである。
【図面の簡単な説明】
【０００７】
【図１】本発明のアイロンで片方の先端をＶ型に、Ｖ型の奥を丸く、それぞれにカットしたものである。
【図２】ボタン回りのアイロン、プレス
【図３】最新の前後が尖ったアイロン
【図１】
2011156333.tif 000003
【図２】
2011156333.tif 000004
【図３】
2011156333.tif 000005
(57)【要約】      （修正有）【課題】現存する、また、将来作製されると思われるハンガーの形態すべてに適用させ、通常人はもとより背の低い人、子供、車椅子生活の人、身体の不自由な人、高齢社会を迎えるにあたり腰が曲がるなどまた病気で手が上げられない人などそのような方々に楽にハンガーがかけられるようにする。【解決手段】従来のハンガーの中央または場合によっては任意の位置に伸縮する装置を付与することで解決する。【選択図】図２
2011156335.tif 000002
【特許請求の範囲】
【発明の詳細な説明】
【技術分野】
【０００１】本発明は通常人においても特にこれから高齢化社会を迎える高齢者、車椅子生活の人、子供、身体の不自由な人に有効な装置を付与する事に関する。
【背景技術】
【０００２】従来のハンガーについての歴史
日本では昔から、着物を衣桁（いこう）という鳥居形の道具に掛け風に当てて汗を乾かしていた。平安時代の書物「類聚雑要抄」によると、大きさは横桁７尺（約２１０ｃｍ）、柱高５尺１寸、台高３寸。
棹は漆塗りで、上等なものには蒔絵が施されたり、両端に金銅の装飾金具が付けられていたようだ。この衣桁は実用だけでなく、華やかな衣装を掛けて室内を飾るインテリアとしても使われていた。
色彩の乏しい当時の寝殿造りの中では、際立った室内装飾だったと考えられる。江戸時代中期には二つ折の衣桁屏風が生まれた。
このほか、棹の中央に吊り下げ用の紐をつけた衣文掛（衣文竹）という日本独自のハンガーも使われていた。
明治以降、洋服が普及するにつれて日本には、まずコートハンガーが伝わった。衣桁と同様、衣服をタンスに収納する前に風に当て、汗を取る道具として使用された。当初は趣味性の強いデザインが多く、木製の実用的なハンガーが登場するのは大正時代になってからである。昭和３０年代後半、ハンガーの材料としてプラスチックが使われるようになった。
大量生産できる事  軽くて丈夫な事  カラフルな事、価格が安い事などからプラスチックハンガーはあらゆる分野で使われるようになった。現在では、木、プラスチックのほか、アルミやスチールなどもハンガーの材料として使われている。また、プラスチックでもペットボトルをリサイクルした材料のものもある。時代とともに、そしてファッションの変遷とともに、ハンガーも材料や機能、スタイルなどが少しずつ進化している。
【先行技術文献】
背景技術にも示した様にハンガーは相当古くから存在し現在では過去におけるハンガーの形態だけでなく  様々なハンガーが存在し販売されている。
【非特許文献】
【０００７】
【非特許文献１】「ハンガーのトリビア（下段）」を参考にした。
【発明の概要】
通常ハンガーと称されている中央に場合によっては任意の位置にかつ装置の数または伸縮の長さは制限しないなどの自由性のある伸縮型の装置を付与する。
【発明が解決しようとする課題】従来のハンガーは例えば物干し竿などにかける時に背の低い人、子供、車椅子生活の人、身体の不自由な人、高齢社会を迎えるにあたり腰が曲がった人などまた病気で手が上げられない例えば５０肩の人などにとっては非常に扱い辛い物である。
【課題を解決するための手段】従来のハンガーの中央または場合によっては任意の位置に伸縮する装置を付与することで解決する。
【発明の効果】次の例をとって説明する。
通常ハンガーと称されている商品の中央部に図に示す様に伸縮する装置を付与する事で課題を克服しかつ既成の商品同等の効果を発揮する。
【図面の簡単な説明】図面の様に伸縮する装置を付与する。
この装置はちょうど伸縮性の釣り竿の様に数段に伸縮する。
用途に応じてこの装置の直径また伸びる長さを変更する。
【図１】伸縮装置を付与した事を示す平面図の一例である。
【図２】伸縮装置を伸ばした時を示した断面図の一例である。一例として摩擦抵抗により縮むのを防いでいる。なお［図１］［図２］は伸縮装置を明確にするため太さは強調して作図している。また長さについては作図上簡略にするため短く設定した。
【発明を実施するための形態】
この図面に示す物は  単なる一例であり伸縮する装置を付与する事に意義がある。現存する  また  将来作製されると考えられる  どの様なハンガーの形態にも伸縮する装置を付与する事に関しては  すべて適用範囲とする。
即ちハンガー及び装置の形態、形状、取り付け角度等には一般性を失わない。
【実施例】洗濯後の乾燥時において
高齢社会を迎えようとする時代になり身体に支障をきたしハンガーのフックが物干し竿など高い所にかけにくい人達。
車椅子生活の人で物干し竿など高い所にハンガーをかけにくい人などに有効である実施例は今後数多く出現すると思われる。
【産業上の利用可能性】おおいに利用かつ活用が期待できる。
【符号の説明】［図１及び図２について］
１  Ａは伸縮装置である。
２  Ｂは取っ手の部分である。
【図１】
2011156335.tif 000003
【図２】
2011156335.tif 000004
【手続補正書】
【提出日】平成22年4月27日(2010.4.27)
【手続補正１】
【補正対象書類名】特許請求の範囲
【補正対象項目名】全文
【補正方法】変更
【補正の内容】
【特許請求の範囲】
【請求項１】
通常ハンガーと称されている現存のハンガー、ハンガー類かつ将来出現するであろうハンガー、ハンガー類に対して伸縮装置を付与する事に本特許願の意義がある。伸縮装置を付与し進歩性と利便性を提供するとともに、ハンガー、ハンガー類の種類及び材質や材料に適応する装置の形態や形状、デザイン、取り付け方法、取り付け角度、装置の数、取り付け位置、伸縮装置の伸縮段数、装置の長さ、装置伸縮時の維持装置等に関しては自由性を持ち  その一般性を失わない。
(57)【要約】      （修正有）【課題】手術以外に治療法がなかった直腸粘膜脱を本バンドの装着によって防止するもので手術以外の選択肢を提供するものである。【解決手段】ヘルニアバンドの中央下方部に弾性台座１を設け、一方のベルトを長くして腰を締めつけ装着するバンドである。本バンドの装着により弾性台座によって肛門周辺のでん部の筋肉を圧迫し、肛門を押え、且つ、一方を長くしたベルトで本バンドを腰に締めつけ、即ち、肛門への圧迫は弾性台座とベルトの締めつけで相乘効果をもたらし直腸粘膜脱を防ぐ。【選択図】図１
2011156337.tif 000002
【特許請求の範囲】
【請求項１】
ヘルニアバンド（脱腸帯）の中央下方部に硬さ及び形状の異なる２つのクションを１つにまとめた弾性台座を設け、且つ、ベルトの一方を長くした直腸粘膜脱防止バンド。
【発明の詳細な説明】
【技術分野】
【０００１】  この発明は、外部より肛門周辺のでん部の筋肉を圧迫し、それによって肛門を押さえ直腸の粘膜が中から肛門の側にずれ出てくることを防ぐバンドに関するものである。
【背景技術】
【０００２】  直腸粘膜脱の初期症状は排便時のみであるがその後、長く立っていたり、咳など腹圧をかけただけで脱出する。更に老化や体質によって脱出の回数がふえ日常生活にも支障をきたす様になり、治療法として手術以外に手段はなかった。
【発明の開示】
【発明が解決しようとする課題】
【０００３】  そのために、次のような問題点が生じていた。従来、直腸粘膜脱は手術以外に治療法はなくその後遺症も心配であり手術後の再発率は５〜２０％で少なくないと言われている。本発明は、以上の問題点に対し、直腸粘膜脱の治療法としてもう一つの選択肢を提供するものである。
【課題を解決するための手段】
【０００４】  従来からあるヘルニアバンド（脱腸帯）を基にし、その中央下方部に弾性台座を設け、一方のベルトを長くして本バンドを腰に締めつけ装着するものである。
以上の構成からなる直腸粘膜脱を防ぐバンドである。
【発明の効果】
【０００５】  本バンドの装着により弾性台座によって肛門周辺のでん部の筋肉を圧迫し、肛門を押え、且つ、一方を長くしたベルトで本バンドを腰に締めつけ、即ち、肛門への圧迫は弾性台座とベルトの締めつけで相乘効果をもたらし直腸粘膜脱を防ぐものである。【０００６】  腹圧をかけたり、長く立っていたり、老化や体質によって頻繁に直腸粘膜脱のおきる人でも、本バンドを常時装着しておけばその回数は激減し、脱出は殆んど防げる。本ベルトの留め具はマジックテープを使用するので装着及び脱装着は簡単にでき、装着後立って行動する時はもちろん座った時でも本バンドや弾性台座はお尻のくぼみに入り違和感など感じず、又肛門及びその下方部分を適度に圧しているので弱体化している肛門括約筋や骨盤底筋など刺激してもとの状態に回復させ、後に殆んど脱出しなくなる。従って健常者と同様の生活がおくれるようになり手術を回避することも十分可能である。
【発明を実施するための最良の形態】
【０００７】以下、本発明の実施の形態について説明する。
（イ）ヘルニアバンドの中央下方部に弾性台座を設ける。
弾性台座は硬さ及び形の異なる２つのクションを１つにまとめたものである。
（ロ）ヘルニアバンドの一方のベルトを長くしたものである。
ベルトの先端にはマジックテープを留め具に使用する。
本発明は以上の構成からなる直腸粘膜脱防止バンドである。以下、使用法について説明する。
肛門周辺のでん部を下方から弾性台座で圧しながら、本バンドを股下から両腰骨の上の位置にゆるみなく装着することによって肛門を押え、且つ、一方を長くしたベルトで本バンドを腰に締めつけその相乗効果で直腸粘膜脱を防ぐものである。又その装着及び脱装着はマジックテープにより簡単にできる。
【図面の簡単な説明】
【０００８】
【図１】本発明の斜視図である。
【図２】本発明の基本となったヘルニアバンドの斜視図である。
【図３】本発明図の断面図である。
【図４】本発明バンドの装着で座った時の断面図である。
【符号の説明】
【０００９】１、弾性台座
２、一方を長くしたベルト
３、ヘルニアバンドの中央下方部
４、筋金
５、本バンド
【図１】
2011156337.tif 000003
【図２】
2011156337.tif 000004
【図３】
2011156337.tif 000005
【図４】
2011156337.tif 000006
(57)【要約】【課題】ダイボ−ド１１の刃溝を傷めずに安全に早く安全にトムソン刃１０をダイボ−ド１１から抜き取る【解決手段】クランプ工具８でトムソン刃１０をしっかり握りしめ、そのクランプ工具８と合体したレバ−本体５があり、それを同時に持ち上げるための垂直押し出し具１を備え、クランプ工具８のクランプ動作とは独立した垂直押し出し具１を、その上部を押しつけるカムピン３を支点にして旋回運動するレバ−９、カム２、あるいはネジ１３，旋回駆動部１４で垂直押し出し具１を押し出す事によりダイボ−ド１１を押しつけトムソン刃１０をひきぬく。 【選択図】図１
2011156618.tif 000002
【特許請求の範囲】
【請求項１】
トムソン刃１０を握りしめるクランプ工具８と合体したレバ−本体５があり、クランプ支点６のそばに、クランプ工具８でトムソン刃１０を握りしめた状態で、クランプ工具８の握りしめとは単独で動く、レバ−９によりカム２を駆動するか、あるいは旋回駆動部１４によりネジ１３で駆動される垂直押し出し具１を設け、クランプ工具８でトムソン刃を握り締めながら、レバ−９によりカム２を駆動するか、あるいは旋回駆動部１４によりネジ１３で駆動して垂直押し出し具１をダイボ−ド１１に押しつけ、トムソン刃１０を引き抜くことを特徴とするトムソン刃の引き抜き装置。
【発明の詳細な説明】
【技術分野】
【０００１】
本発明は、トムソン刃の引き抜き装置に関する。
【背景技術】
【０００２】
従来、図3のトムソン抜き型に於いてトムソン刃１０が摩耗すると、ダイボ−ド１１から引き抜き、新しい刃に入れ替える必要があり、このトムソン抜き型例はトムソン刃１０を継ぎ目１２でつなぎ目として１本のトムソン刃１０を曲げ加工されており、このトムソン刃１０の刃換えの為の引き抜き作業は、トムソン刃の箇所A、B、C、D、Eのそれぞれの箇所をまんべんなく垂直に引き上げないとトムソン刃１０のうめてある刃溝が痛んでしまい再利用できなくなる。図3のトムソン抜き型での刃替えはトムソン刃１０のダイボ−ド１１から突き出ている部分を順次掴む場所を頻繁に変えながら少しずつ真上に真っ直ぐ持ち上げる必要があり、この二つの条件を満たす方法として結局、図４、図５のような釘抜きあるいはペンチ等の工具で掴み場所を変えながら少しずつ持ち上げる方法がとられているので、真っ直ぐに引き上げにくく、片手で釘抜きを持ちもう一方の手でダイボ−ド１１を押さえて釘抜きのテコを使ってトムソン刃１０を引き抜くとトムソン刃１０がねじれながら抜けてくるので、ダイボ−ド１１の溝が広くなり持ち上げ時にトムソン刃１０で怪我の原因になる。
【先行技術文献】
【特許文献】
【０００３】
【特許文献１】特開平８−１４１９２９公報
【発明の概要】
【発明が解決しようとする課題】
【０００４】
１  トムソン刃１０の引き抜き時、掴む場所を頻繁に掴み変えダイボ−ド１１よりトムソン刃１０を真っ直ぐに引き抜く事によりダイボ−ド１１のトムソン刃１０が埋まっていた刃溝を傷めないトムソン刃１０の引き抜き装置を提供する。
２  引き抜き時、鋭利なトムソン刃１０の刃先での怪我を防ぎ、より安全なトムソン刃１０の引き抜き装置を提供する。
【課題を解決するための手段】
【０００５】
トムソン刃１０を握りしめるクランプ工具８と合体したレバ−本体５があり、クランプ支点６のそばに、クランプ工具８でトムソン刃１０を握りしめた状態で、クランプ工具８の握りしめとは単独で動く、レバ−９によりカム２を駆動するか、あるいは旋回駆動部１４によりネジ１３で駆動される垂直押し出し具１を設け、クランプ工具８でトムソン刃を握り締めながら、レバ−９によりカム２を駆動するか、あるいは旋回駆動部１４によりネジ１３で駆動して垂直押し出し具１をダイボ−ド１１に押しつけ、トムソン刃１０を引き抜くことを特徴とするトムソン刃の引き抜き装置。
【発明の効果】
【０００６】
トムソン抜き型の刃換えを安全により早く、ダイボ−ド１１の刃溝を傷めずにできるようになる。
【図面の簡単な説明】
【０００７】
【図１】本発明の第１の実施例の構成図
【図２】本発明の第２の実施例の構成図
【図３】トムソン抜き型
【図４】釘抜き使用例
【図５】ウオ−タポンププライヤ使用例
【発明を実施するための形態】
【０００８】
以下、本発明の実施例を２つ示す。
【実施例１】
【０００９】
図１は本発明の第１の実施例の構成図である。
レバー本体５に取り付けボルト７でクランプ工具８をしっかりと合体取り付けし、クランプ工具８は支点６を支点にしてトムソン刃１０をつかんで握りしめられる。レバ−本体５に差し込まれ摺動可能な垂直押し出し具１はバネ４で押し上げられている。レバ−本体５に差し込まれたカムピン３を支点として旋回するカム２と，そのカム２を旋回運動させるレバ−９がある。
【００１０】
クランプ工具８のクランプ支点６の付近にカム２による上下運動できる垂直押し出し具１を備え、この垂直押し出し具１をレバ−９でレバ−９に取り付けられたカム２を持ち上げることにより、垂直押し出し具１を上に上げておき、クランプ工具８でトムソン刃１０をしっかり握りしめ、それとは単独に動くレバ−９でカム２を押し下げ垂直押し出し具１の上部を押しつけ垂直押し出し具１を押し出す事によりトムソン刃１０を垂直に引き上げる。その後トムソン刃１０を掴む位置をずらせ、同様にまんべんなく引き上げる。この動作を繰り返すことにより、ダイボ−ド１１にトムソン刃の埋め込んである溝を傷つけることなく、トムソン刃１０を引き上げることができる。
【実施例２】
【００１１】
図２は本発明の第２の実施例の構成図である。
実施例１においてレバ−９、カム２のかわりにネジ１３を旋回駆動部１４で正転逆転させ、その動きを垂直押し出し具１に伝えて、トムソン刃を引き抜く。
【００１２】
また、レバ−９は適当に長く、トムソン刃１０から十分に距離があるので一般の釘抜き、ペンチでこじ上げるのに比べ、けがを防げる。
【符号の説明】
【００１３】
１  垂直押し出し具
２  カム
３  カムピン
４  バネ
５  レバ−本体
６  クランプ支点
７  取り付けボルト
８  クランプ工具
９  レバ−
１０  トムソン刃
１１  ダイボ−ド
１２  継ぎ目
１３  ネジ
１４  旋回駆動部
Ａ、Ｂ、Ｃ、Ｄ  トムソン刃の箇所
【図１】
2011156618.tif 000003
【図２】
2011156618.tif 000004
【図３】
2011156618.tif 000005
【図４】
2011156618.tif 000006
【図５】
2011156618.tif 000007